(57)【特許請求の範囲】
【請求項１】
横並びに配置された少なくとも第１、第２の２つの表示部を備えた光電スイッチであって、
少なくとも２つの表示部が合体して一つの表示部として機能する表示動作モードを備えていることを特徴とする光電スイッチ。
【請求項２】
横並びに配置された少なくとも第１、第２の２つの表示部を備えた光電スイッチであって、
前記表示部の各々が、個々独立して動作する第１動作モードと、
前記少なくとも２つの表示部が合体して一つの表示部として動作する第２動作モードを備え、
該第２動作モードでは、受光量の演算処理が、少なくとも２つの表示部が合体して表示可能な最大桁数の範囲内で桁数が増加され、該増加された桁数で演算処理された受光量が前記合体して動作する表示部に表示されることを特徴とする光電センサ。
【請求項３】
横並びに配置された第１、第２の２つの表示部を備えた光電スイッチであって、
前記第１、第２の表示部が個々独立して動作する第１動作モードと、
前記第１、第２の表示部を合体して一つの表示部として動作する第２動作モードを備え、
該第２動作モードでは、受光量の演算処理が、前記第１、第２の表示部で表示可能な最大桁数の範囲内で桁数が増加され、該増加された桁数で演算処理された受光量が前記合体して動作する前記第１、第２表示部に表示されることを特徴とする光電センサ。
【請求項４】
前記第１、第２表示部が、夫々、７セグメントＬＥＤで構成されていることを特徴とする請求項１〜３のいずれか一項の光電スイッチ。
【発明の詳細な説明】
【０００１】
【発明の属する技術分野】
この発明は、光電スイッチに関し、特に、横並びに複数の表示部を備えた光電スイッチに関する。
【０００２】
【従来の技術】
光電スイッチは、光を使って検出物の有無を検出するのに多用されており、この光電スイッチの中には表示部を備えたものが知られている。この種の光電スイッチは一つの表示部を備え、この表示部にしきい値などを表示させながら調整できるようになっており、多くの場合４桁表示が採用されている。この種の光電スイッチにあっては、表示部には、検出物が存在していないときに最大受光量が表示され、検出物が存在しているときには、この検出物によって光の一部が遮られるため、減少した受光量が表示される。。
【０００３】
ところで、検出物が例えば微小物体の場合、受光量の減少も僅かであり、最大受光量と最小受光量との差が極めて小さいため、光電スイッチの検出精度が低下しがちである。すなわち、光電スイッチが誤作動することなく動作するには、最大受光量と最小受光量との間に或る程度の変化量が必要である。換言すれば、最大受光量と最小受光量との間の差が大きいほど、光電スイッチは安定した動作を行う。
【０００４】
微小物体を検出するのに、現実的な対応策として、投光部と受光部とを近づけることが行われている。これによれば、受光部が受け取る実質的な受光量が増大するため、それだけ、最大受光量と最小受光量との差が大きくなる。
【０００５】
【発明が解決しようとする課題】
しかし、投光部と受光部とを接近させていくと、受光量が表示部で表示可能な最大値を越えてしまう虞がある。そして、受光量が表示部の表示可能な最大値で張り付いた場合、つまり表示が飽和した場合（４桁であれば「９９９９」）には、ユーザを混乱させてしまうだけでなく、この表示可能な最大値に基づいてしきい値の設定が行われるため、光電センサの正常な作動を期待することができなる。まだ、表示部を見ても、最大受光量と最小受光量との差を正確に把握することができない。
【０００６】
そこで、本発明の目的は、表示部を備えた光電スイッチを前提として、この表示部で表示不能な状態つまり表示が飽和してしまうことを解消することのできる光電スイッチを提供することにある。
【０００７】
本発明の他の目的は、微小物体の検出に好適な光電スイッチを提供することにある。
【０００８】
本発明の更なる目的は、受光部が受け取る実質的な受光量が増大したとしても、表示の飽和を解消することのできる光電スイッチを提供することにある。
【０００９】
本発明の他の目的は、複数の出力機能を備えた光電スイッチの動作確認を的確に行うことのできるだけでなく、微小物体の検出にも十分な動作能力を発揮することのできる光電スイッチを提供することにある。
【００１０】
【課題を解決するための手段】
かかる技術的課題は、本発明の一つの観点によれば、
横並びに配置された少なくとも第１、第２の２つの表示部を備えた光電スイッチであって、
少なくとも２つの表示部が合体して一つの表示部として機能する表示動作モードを備えていることを特徴とする光電スイッチを提供することによって達成される。
【００１１】
また、上記の技術的課題は、本発明の別の観点によれば、
横並びに配置された少なくとも第１、第２の２つの表示部を備えた光電スイッチであって、
前記表示部の各々が、個々独立して動作する第１動作モードと、
前記少なくとも２つの表示部が合体して一つの表示部として動作する第２動作モードを備え、
該第２動作モードでは、受光量の演算処理が、少なくとも２つの表示部が合体して表示可能な最大桁数の範囲内で桁数が増加され、該増加された桁数で演算処理された受光量が前記合体して動作する表示部に表示されることを特徴とする光電センサを提供することによって達成される。
【００１２】
【実施例】
本発明の上記の目的、他の目的並びにその利点は、添付の図面を参照した以下の本発明の好ましい実施例の詳細な説明から明らかになろう。
【００１３】
図１〜図３は、実施例の光電スイッチを示すものであり、図１は光電スイッチの斜視図であり、図２はその平面図であり、図３はブロック図である。図示の光電スイッチ１００は、発光部と受光部とが分離され、検出物Ｔを通過した光を発光部で受光する透過型の光電スイッチである。すなわち、光電スイッチ１００は、本体１０１と投光部１０２と受光部１０３とを含む（図３）。
【００１４】
本体１０１は、幅狭の比較的細長いボックス状のケーシング１１を有し、ケーシング１１の上面１１ａには、左右又は横並びに隣接して配置された第１、第２の表示部１７、１８が設けられている。この第１、第２の表示部１７、１８は、共に、前後又は横並びに隣接して配置された４つセクションを有し、各セクションは７セグメントＬＥＤで構成されている。すなわち、第１、第２の表示部１７、１８は、数字及び／又はアルファベット文字を横並びに４つ表示することができる。従って、例えば第１、第２の表示部１７、１８で数値を表示するときには、４桁の数値を表示することが可能である。７セグメントＬＥＤは、これを１色ＬＥＤで構成してもよく、また、２色ＬＥＤで構成してもよい。また、第１、第２の表示部１７、１８は、白黒又はカラー液晶（ＬＣＤ）で構成されてもよい。
【００１５】
ケーシング１１の上面１１ａには、また、出力論理スイッチ１９と、出力オン／オフ−インジケータ２０と、スイング式のしきい値調整スイッチ又は上下キースイッチ２１と、しきい値設定キースイッチ２２（以下、ＳＥＴキーという）と、表示モード切り替えキースイッチ２３（以下、Ｍキーという）とを有し、このケーシング１１の上面１１ａは、その他端にピボット軸を介して取り付けられた片開き式の蓋２４（図１）を有し、この蓋２４によって上面１１ａを覆うことができる。
【００１６】
出力オン／オフ−インジケータ２０は、受光量としきい値の関係から、検出物の有無を検出し、出力する状態を示す時に点灯又は消灯する。また、その点灯や消灯と出力状態との関係の論理（オン時に点灯又は消灯）は、出力論理スイッチ１９により変更できる。
【００１７】
ＳＥＴキー２２は、後に詳しく説明するが、しきい値を設定するのに用いられる。例えば、検出物Ｔ（図３参照）を検出エリアに配置した状態で、ＳＥＴキー２２を押し、次いで、検出エリアから検出物Ｔを取り除いた状態で、ＳＥＴキー２２を再び押すと、検出物Ｔが存在しているときの受光量と、検出物Ｔを取り除いたときの受光量との間の値が「しきい値」として設定される。
【００１８】
図３は、光電スイッチ１００の全体概要を示すブロック図である。光電スイッチ１００は、発光部１０１に含まれる例えば光ダイオードなどからなる発光素子１２及びモニタ用光ダイオード３１と、受光部１０２に含まれる光ダイオードなどからなる受光素子１３とを含む。
【００１９】
光電スイッチ本体１０１の内部には、発光素子１２を発光させるための駆動回路３０と、受光素子１３に接続された受光回路３２と、この受光回路３２からの出力信号をＡ／Ｄ変換するＡ／Ｄ変換器３３と、第１、第２の表示部１７、１８を制御するゲートアレイ又は制御回路３４と、この制御回路３４からの信号を外部に送出する出力回路３５とを有する。先に説明したＳＥＴキーやＭキーなど各種スイッチ２１〜２３を含む操作部３６からの信号は制御回路３４に入力される。
【００２０】
光電スイッチ１００は、既知のように、受光素子１３が獲得した受光量をしきい値と比較し、その大小によって検出物Ｔの有無を検出し、その結果を出力するものである。例えば、受光素子１３が獲得した現在の受光量と、検出物Ｔの有無を検出するために設定されているしきい値は、上述した第１、第２の表示部１７、１８に表示される。
【００２１】
第１、第２表示部１７、１８からなるディスプレー又はモニタの動作モードは、通常の使用に関する表示状態と、しきい値設定に関する表示状態とで大別される。
【００２２】
光電スイッチの表示モードの大別
光電スイッチ１００のモニタ又はディスプレー、つまり第１、第２表示部１７、１８に表示する情報は、次のように大別される。
（Ａ）受光量及び／又はしきい値関連
（Ｂ）動作状態の確認
（Ｃ）各種設定事項やパラメータつまり動作機能設定
（Ｄ）ディスプレー関係
【００２３】
（Ａ）「受光量及び／又はしきい値関連」に関する表示項目
▲１▼現在の受光量及びしきい値（数値）の４桁表示
▲２▼受光量の高解像度表示（５桁表示）
▲３▼所定時間内での受光量のピーク及びボトムの数値表示
【００２４】
（Ｂ）「動作状態の確認」に関する表示項目
▲１▼動作モードの確認
動作モードとは、実施例の光電スイッチ１００で設定可能な複数の動作又は能力に関するものであり、最適な検出距離などによって複数の動作モードの中から一つの動作モードを設定できるようになっている。この動作モードについては、後に詳しく説明する。
▲２▼タイマモードの確認
タイマモードについては、後に説明する。
【００２５】
（Ｃ）「動作機能設定」に関する表示項目
▲１▼動作モード切り替え
後に詳しく説明するが、光電スイッチ１００は、複数の動作モードから一つの動作モードを選択して使用することにより、検出環境に適合した能力で使用できるようになっている。
【００２６】
▲２▼タイマモードのオン／オフ切り替え及びタイマ値設定
タイマモードがＯＦＦされると、光電スイッチ１００が検出物Ｔの存在を検出すると直ちに検出信号を出力し、検出物Ｔの存在を検出している間、検出信号を出力し続ける。これに対して、タイマモードをＯＮすると、検出物Ｔの存在を検出した後、設定した遅延時間が経過した後に、ＯＮ信号を出力するか、又は、検出物Ｔの存在が無くなったことを検出した後、設定した遅延時間が経過した後に、ＯＦＦ信号を出力する。この遅延時間（タイマ値）についても任意に設定することができる。
【００２７】
また、このタイマモードのオン／オフ切り替えは、ワンショット制御を含む。ワンショット制御とは、例えば検出物Ｔを検出した際、この検出物Ｔを検出している期間に影響されず、検出に対応して一度だけ生成されるＯＮ信号の立ち上がりから一定時間ＯＮ信号を出力するものである。具体的には、検出物Ｔが微小物体で実際の検出時間が短い際に、ＯＮ信号をそれよりも長い時間に設定したい場合や、逆に実際の検出時間が長い場合に、それよりも短いＯＮ信号出力時間を設定したい場合に使用される。また、このＯＮ信号出力時間の長さはタイマ値として任意に設定することができる。
【００２８】
▲３▼微分モードの切り替え
この微分モードをオンすると、デジタル処理により、受光量の微分波形が出力される。この微分モードは、検出物Ｔの通過の際の信号の立ち上がり又は立ち下がりの検出つまりエッジ検出などに用いられる。
▲４▼基本表示画面である「しきい値関連表示」での表示モードの設定
光電スイッチ１００にあっては、「しきい値関連表示」に関する一部の項目だけを表示する部分表示モード（「Ｓｔｄ」モード）と、全ての項目を表示する全表示モード（「Ｆｕｌｌ」モード）とに選択可能である。
【００２９】
（Ｄ）ディスプレー関係に関する表示項目
▲１▼エコモードの切り替え
エコモードは、２段階に設定できるようになっている。第１段階は、これを「ハーフ（Ｈａｌｆ）」モードと呼ぶが、数値などが単に例えば赤又は緑の小さなランプ状の表示形態に変り、何らかのキーを押すと、通常の表示つまり数値又は文字に戻る。第２段階は、これを「オール（Ａｌｌ）」モードと呼ぶが、数値などが完全に消灯して何らかのキーを押すと通常の表示に戻る。
【００３０】
以上、列挙した表示項目の単なる例示であり、光電スイッチが益々多機能化すれば、これに伴って表示すべき情報として別の項目が追加されることになるであろうし、設計する光電スイッチの付加的な機能に応じて表示項目が変更されるのは勿論である。
【００３１】
光電スイッチ１００の第１、第２の表示部１７、１８での情報表示に関し、その概要は次のとおりである。
【００３２】
▲１▼第１の情報群と第２の情報群とに大別してある。
基本表示画面に表示される第１の情報群は、（Ａ）「受光量及び／又はしきい値関連」の項目と（Ｂ）「動作モード設定状態の確認」の項目とからなる。第２の情報群は、（Ｃ）「各種設定事項やパラメータ」に関する項目と（Ｄ）「ディスプレー設定関連」の項目からなる。
【００３３】
▲２▼基本表示画面を構成する第１の情報群のうち、ユーザの使用頻度や必要性の度合いなどを考慮に入れて、特に使用頻度や必要性の度合いの高い項目だけを表示する部分表示モード（「Ｓｔｄ」モード）と、全ての項目を表示する全表示モード（「Ｆｕｌｌ」モード）とを択一的にユーザが選択できるようになっている。
【００３４】
▲３▼第２表示画面は第２の情報群の「動作機能設定」及び「ディスプレー設定関連」に関するものであるが、この第２情報群に含まれる項目の中から、光電スイッチ１００の基本的な設定に関するもの又はユーザの使用頻度や必要性の度合いの高い項目だけを表示する部分表示モード（「Ｅａｓｙ」モード）と、全ての項目を表示する全表示モード（「Ｐｒｏ」モード）とを択一的にユーザが選択できるようになっている。「Ｅａｓｙ」モードと「Ｐｒｏ」モードとの使い分けは、通常の使用状態で必要な設定項目であるか、特別な使用状態で必要とされる設定項目であるかによって行うようにしてもよい。
【００３５】
光電スイッチ１００の第１、第２の表示部１７、１８での表示に関する操作については、モード切り替えキースイッチ（Ｍキー）２３を例えば３秒間以上押し続ける（以下、「長押し」という）ことによって、第１群の項目を表示する基本表示画面（「受光量及び／又はしきい値関連表示」モード）から、第２群の項目を表示する第２表示画面（「動作機能設定」モード）へジャンプつまり移行する。すなわち、Ｍキー２３を長押しすることを条件に、第１群の項目を表示する基本表示画面から、第２群の項目を表示する第２表示画面に切り替わる。
【００３６】
勿論、この表示群の切り替えに関し、別途、そのための専用のキー又はスイッチを用意するようにしてもよいし、光電スイッチ１００に含まれる別のスイッチに、この表示群の切り替えの機能を付加するようにしてもよい。また、２つのキー又はスイッチを同時に押すことにより、基本表示画面から第２表示画面へ移行するようにしてもよい。
【００３７】
基本表示画面である「受光量及び／又はしきい値関連表示」モードに関し、「Ｓｔｄ」モードと「Ｆｕｌｌ」モードとの切り替えメニューは、これに関する項目を基本表示画面の中に設けて、この基本表示画面の中で、ユーザが「Ｓｔｄ」モード又は「Ｆｕｌｌ」モードの選択できるようにしてもよい。
【００３８】
また、第２表示画面である「動作機能設定」モードに関し、「Ｅａｓｙ」モードと「Ｐｒｏ」モードとの切り替えは、後に説明するように、基本表示画面から第２表示画面に移行する途中で行うようにしてもよく、また、第２表示画面の中で、先ず実質的に「Ｅａｓｙ」モードで表示する項目の一連のディスプレイを完了した後で、次に、実質的に「Ｐｒｏ」モードで表示する項目へ進むか、又は第２表示画面の表示を完了して基本表示画面へ戻るか、をユーザに選択させるようにしてもよい。
【００３９】
図４は、光電スイッチ１００の使用に関するディスプレーの概要を示す。第１群の項目を表示する基本表示画面である「受光量及び／又はしきい値関連表示」モードから、第２群の項目を表示する第２表示画面である「動作機能設定」モードへの移行は、Ｍキー２３を継続的に３秒以上の押し続ける「長押し」により行うことができるが、その途中で、「Ｅａｓｙ」又は「Ｐｒｏ」の何れかをユーザに選択させる選択画面が表示され、この選択画面で、ユーザが「Ｅａｓｙ」又は「Ｐｒｏ」のいずれか一方を選択してこれを設定することにより、第２表示画面での表示モードが設定される。この「Ｅａｓｙ」又は「Ｐｒｏ」の選択つまりメニューの切り替えは、上下キースイッチ２１を操作することにより行うことができ、次いで、Ｍキー２３を、比較的短い時間押すことにより、選択されたモードの設定が行われると共に第２表示画面である「動作機能設定」モードに移行する。そして、この第２表示画面での表示は、選択された「Ｅａｓｙ」又は「Ｐｒｏ」モードで実行される。
【００４０】
「受光量及び／又はしきい値関連表示」モード（基本表示画面）（図５）
基本表示画面での表示は、（Ａ）「受光量及び／又はしきい値関連」及び（Ｂ）「動作状態の確認」の項目を含む。
【００４１】
図５は、「Ｆｕｌｌ」モードでの基本表示画面（「受光量及び／又はしきい値関連表示」モード）のフローを示す。「受光量及び／又はしきい値関連表示」モードの初期画面である第１画面（「しきい値（数値）」＆「現在の受光量（数値）」）は、Ｍキー２３を比較的短い時間押すことによって、しきい値に関連した第２、第３の画面に順次切り替わり、更に、Ｍキー２３を比較的短い時間押すと、動作モードなどの現在の設定状態を示す第４画面に変わり、更に、Ｍキー２３を比較的短い時間押すと、初期画面に戻る。つまり、基本表示画面の「受光量及び／又はしきい値関連表示」モードでは、Ｍキー２３を反復的に押すことによって、初期画面から、順次、第２〜第４の画面に切り替わり、再び初期画面に戻るループ又はサイクルを形成する。
【００４２】
「Ｓｔｄ」モードでの基本表示画面のフローは、図５に破線で示されている。図５から理解できるように、この「Ｓｔｄ」モードでは、Ｍキー２３を比較的短い時間押すと、初期画面である第１画面から第２画面に切り替わり、次いで、第２画面から第３画面を経由することなく第４画面に切り替わり、更に、Ｍキー２３を比較的短い時間押すと、初期画面に戻る。すなわち、「Ｓｔｄ」モードでは、第１画面から第２画面に切り替わり、次いで、第３画面をバイパスして、第２画面から第４画面に切り替わり、この第４画面から再び第１画面に戻るループ又はサイクルを形成する。
【００４３】
第１画面
第１画面では、第１表示部１７にしきい値が数値表示され、第２表示部１８に現在の受光量（現在値）が数値表示される。
【００４４】
第２画面
この光電スイッチ１００は、検出物Ｔの有無の判定に用いる受光量としきい値に関連して、通常モードと、高解像度モードとを有する。ここでの通常モードの意味するところは、光電スイッチ１００での内部演算が４桁で行われ、その演算に基づいて、受光量並びにしきい値が最大４桁で設定されるものである。他方、高解像度モードの意味するところは、光電スイッチ１００での内部演算が５桁で行われ、その演算に基づいて、受光量並びにしきい値が最大５桁で設定されるものである。この高解像度モードでの演算桁数は、５桁に限定されるものではなく、各々の表示桁数が４桁である第１、第２の表示部１７、１８が合体することにより表示可能な８桁まで可能である。
【００４５】
上述した高解像度モードとは、後に詳しく説明する複数の光電スイッチ動作モードの中で、受光量やしきい値を高解像度に基づいて提供するスーパーファインモードであり、このスーパーファインモードをユーザが選択すると、自動的に受光量やしきい値の表示が、通常の４桁表示から５桁表示になる。もちろん、ユーザがその他の通常モードと呼ばれる、ファイン、ターボ、スーパ、ウルトラ、ハイスピードというようなモードを選択した場合は、第１、第２の表示部１７、１８は各々独立した４桁表示を行う。
【００４６】
図５における第２画面は、ユーザによって高解像度モードのスーパファインモードが選択された場合の表示を示すものである。ここでは、第１画面で「１２３４」の４桁の数字で表示されていた現在の受光量が、第１、第２表示部１７、１８を一体的な表示部として、「５１２３４」と５桁での表示を行うようになっている。これは、上述したように、５桁で内部演算された現在の受光量が表示されている。上述したその他の通常モードにおける第２画面は、図示を省略したが、例えば、第１表示部１７に余裕度を数値（％）で表示し、第２表示部１８に現在の受光量を最大４桁で数値で表示するようになっている。
【００４７】
第３画面
第３画面では、受光量のホールド値つまり一定期間内の受光量の最大値と最小値とが、夫々、第１表示部１７と第２表示部１８とに表示される。右側の第２表示部１８の「ＨｏＬｄ」は、この第３画面がホール値の表示に関することを明らかにしている。
【００４８】
第３画面では、先ず、例えば第２表示部１８に「ＨｏＬｄ」の文字が３秒間だけ表示された後、次いで、自動的に、表示が切り替わり、左側の第１表示部１７に最大値の数値が表示され、右側の第２表示部１８に最小値の数値が表示され、この数値表示を１秒間継続した後、自動的に、「ＨｏＬｄ」の文字表示に戻り、以後、これが反復される。
【００４９】
第４画面
第４画面では、現在設定されている光電スイッチ動作モードの表示が行われる。光電スイッチ１００の動作モードを確認するための図示の第４画面にあっては、左側の第１表示部１７の「Ｌｏｎ」は、Ｌｉｇｈｔ−ＯＮの略記であり、入光時に光電スイッチがＯＮすることを意味する。また、右側の第２表示部１８の表示文字「ＦＩｎＥ」が、現在設定されている光電スイッチの動作モードを示している。なお、「ＦＩｎＥ」が意味する動作モードについては後に詳しく説明する。
【００５０】
第４画面では、また、タイマ値の表示が行われる。図示の第４画面で、左側の第１表示部１７の「ｏｎ−ｄ」は、光電スイッチ１００が受光を検知してから、外部機器にＯＮ信号を送出するまでの遅延時間が設定されていることを意味する。つまり光電スイッチ１００が受光を検出した時から外部機器へ出力信号を送出するまで遅延時間を設定してあることを意味する。この遅延時間は、右側の第２表示部１８に数値表示される。
【００５１】
第４画面では、先の動作モードの設定状態を示す表示を１．５秒間行い、次いで、タイマ設定の有無を示す表示を１．５秒間行って、再び動作モードの設定状態を示す表示に戻り、以後、これが反復される。
【００５２】
以上の第１〜第４画面の循環的な表示の切り変わりは「Ｆｕｌｌ」モードが設定されている時である。「Ｓｔｄ」モードが設定されているときには、第２画面から第４画面に移行する。つまり、「Ｓｔｄ」モードでは、第３画面への移行がキャンセルされる。
【００５３】
図６は、基本表示画面である「受光量及び／又はしきい値関連表示」モードにおいて、その表示項目の切り替えに関するフローを示す。いま、第１、第２の表示部１７、１８の表示が、第１画面（しきい値＆現在の受光量）であるとして（ステップＳ１）、Ｍキー２３を比較的短い時間押すと、ステップＳ２からステップＳ３に移行して、第２画面（受光量の飽和レス５桁表示）に切り替わる。更に、この第２画面において、Ｍキー２３を押すと、ステップＳ４からステップＳ５に移行して、この受光量及び／又はしきい値関連表示に関する「Ｓｔｄ」モードが設定されているかの判定が行われ、ＹＥＳ（設定が「Ｓｔｄ」モード）であれば、ステップＳ６、Ｓ７の工程に進むのをキャンセルして、ステップＳ８の第４画面（動作モード確認）の表示に移行する。他方、ステップＳ５でＮＯ（設定が「Ｆｕｌｌ」モード）であれば、ステップＳ６に移行してホールド値表示（第３画面）が行われる。
【００５４】
第１画面〜第４画面のいずれかの画面で、Ｍキー２２を長押しすると、先に説明した「Ｅａｓｙ」又は「Ｐｒｏ」を選択するための選択画面に切り替わる（図４、図７）。
【００５５】
図７は、「動作機能設定」モード（図４）の表示を「Ｅａｓｙ」モードで実行するか、又は、「Ｐｒｏ」モードで実行するかをユーザに選択させるための選択画面を示す。図８は、「Ｅａｓｙ」又は「Ｐｒｏ」の選択に関連した詳細なフローチャートである。
【００５６】
この図８を参照して、基本表示画面（図５参照）における第１画面〜第４画面のいずれかで、Ｍキー２２を長押しする（ステップＳ２０）と、この基本表示画面である「受光量及び／又はしきい値関連表示」モードが終了して、光電スイッチ１００の動作モードの選択工程に入り、左側の第１表示部１７に「Ｅａｓｙ」の文字が表示される（ステップＳ２１、図７）。
【００５７】
この第１表示部１７の表示は、上下キースイッチ２１を押すことにより、「Ｐｒｏ」の文字に変わる（図７参照）。ユーザは、第１表示部１７に「Ｅａｓｙ」の文字が表示されているときにＭキー２３を比較的短い時間押すことにより（ステップＳ２２）、「Ｅａｓｙ」モードを設定することができ、第２表示画面である「動作機能設定」モードに入る（ステップＳ２３）。この「Ｅａｓｙ」モードでは、図９に示すフローで各項目が表示される。
【００５８】
逆に、第１表示部１７に「Ｐｒｏ」の文字が表示されているときにＭキー２３を比較的短い時間押すことにより（ステップＳ２２）、「Ｐｒｏ」モードを設定することができ、「動作機能設定」モードに入る（ステップＳ２４）。この「Ｐｒｏ」モードでは、図１１に示すフローで各項目が表示される。
【００５９】
「動作機能設定」モード（Ｐｒｏ）（図１１）
図１１は、光電スイッチ１００が備える機能に関連した全ての項目を表示する「Ｐｒｏ」モードでの表示項目及びフローを示す。
【００６０】
Ｍキー２３を比較的短い時間押すことにより、次の順序で表示が切り替わる。
（１）光電スイッチの動作モードの切り替え
（２）タイマモードの切り替え及びタイマ値設定
（３）微分モードの切り替え
（４）基本表示画面である「受光量及び／又はしきい値関連表示」（図５）での表示モードの切り替え（「Ｓｔｄ」又は「Ｆｕｌｌ」）
（５）エコノミーモードの切り替え
【００６１】
動作モードの種類
上述したように、本実施例の光電スイッチ１００の動作モードは、最大４桁までで表示を行う通常モードとしての、ファイン、ターボ、スーパ、ウルトラ、ハイスピードの各モードを有すると共に、高解像度モードとして、二つの表示部１７、１８を一体化することにより表示桁数を増大して受光量やしきい値の表示を行うスーパーファインモードがある。
【００６２】
▲１▼ファインモード
ファインモードは光電スイッチ１００の基本動作モードであり、検出距離つまり発光素子１２から検出物Ｔまでの距離が、例えば或るファイバセンサヘッド装着時、１００ｍｍで最適能力を発揮するように光電スイッチの発光量が設定されている。
【００６３】
このファインモードは、例えばベアリングの刻印の有無を検出するのに適している。微小な刻印の有無による僅かな光量変化を的確に判別することができる。
【００６４】
▲２▼ターボモード
基本動作モードよりも実質的に受光量が増大する設定になっており、検出距離が２００ｍｍのときに最適能力を発揮するように発光量が設定されている。
このターボモードは、例えば台紙上のシールの検出するのに適している。
【００６５】
▲３▼スーパモード
上記のターボモードよりも更に実質的に受光量が増大する設定になっており、検出距離が３００ｍｍのときに最適能力を発揮するように発光量が設定されている。
【００６６】
このスーパモードは、例えば発光素子又は発光素子からの光を導くファイバ及び／又は受光素子又は受光素子に光を導くファイバと検出物Ｔとを離間させた状態で検出物Ｔの有無を検出するのに適している。
【００６７】
▲４▼ウルトラモード
上記のスーパモードよりも更に実質的に受光量が増大する設定になっており、検出距離が４００ｍｍのときに最適能力を発揮するように発光量が設定されている。
【００６８】
このウルトラモードは、例えば、スーパよりも遠く離れた検出物Ｔの有無を検出する、或いは、埃、汚れなどの多い悪環境下で検出物Ｔを検出する際に用いるのに適している。
【００６９】
▲５▼ハイスピードモード
このハイスピードモードは、上述した基本動作モードよりも応答速度を高める設定になっており、比較的早く通過する検出物Ｔを検出するのに適している。
【００７０】
▲６▼スーパーファインモード
このスーパーファインモードは、上述した通常モードとは異なり、光電スイッチの投光と受光の間隔を近づけても光量が飽和し難いモードであり、微小物を透過型の光電スイッチで検出するのに適している。
【００７１】
図１１において、「Ｐｒｏ」モードにおける第１番目の表示項目である「動作モード切り替え」のメニューでは、上下キースイッチ２１をアップ操作することにより、第１表示部１７に順次右方向に切り替わり。上下キースイッチ２１をダウン操作することにより第１表示部１７の表示は逆方向（左方向）に順次切り替わる。
【００７２】
ここに、「ＦＩｎＥ」は基本動作モードであるファインモードを意味する。「ｔｕｒｂ」はターボモードを意味する。「ＳｕＰｒ」はスーパモードを意味する。「ＵＬｔｒ」はウルトラモードを意味する。「ｈＳＰｄ」はハイスピードモードを意味する。「ＳＦＩｎ」はスーパーファインモードを意味する。ユーザは、所望の動作モードが表示されたら、Ｍキー２２を比較的短い時間押すことにより、これを設定して、第２番目の「タイマ」モード切り替え表示項目に移ることができる。ここで設定された動作モードは、基本表示画面の中の第４画面（図５）で表示される。
【００７３】
「Ｅａｓｙ」モード（図９）
図９は、「Ｅａｓｙ」モードでの表示項目を示す。この「Ｅａｓｙ」モードでは、光電スイッチ１００の基本的な設定である上述の（１）動作モードの切り替え及び（２）タイマモードの切り替え及びタイマ値設定に限定して表示され、Ｍキー２３を押すことにより、「動作モードの切り替え」表示を「タイマモードの切り替え」表示に変えることができ、更に、Ｍキー２３を押すと、「タイマモードの切り替え」表示から、基本表示画面である「受光量及び／又はしきい値関連表示」（図５）に戻る。すなわち、「タイマモードの切り替え」表示のときに、Ｍキー２３を押すと、「動作機能設定」モードを脱出して、先に説明した基本表示画面である「受光量及び／又はしきい値関連表示」モードに戻る。
【００７４】
この「Ｅａｓｙ」モードでは、「動作モードの切り替え」表示に関し、ユーザが選択可能な動作モードつまり選択可能なメニューが▲１▼ファインモード（「ＦＩｎＥ」）と▲２▼ターボモード（「ｔｕｒｂ」）と▲３▼スーパモード（「ＳｕＰｒ」）の３種類の動作モードに制限されており、この中からユーザが上下キー２１を操作して選択した後に、Ｍキー２３を押すことにより所望の動作モードを設定することができる。
【００７５】
この「Ｅａｓｙ」では、上述したように、一般的に使われる３つの動作モードに制限してあるが、例えば、前回「Ｐｒｏ」モードで、「Ｅａｓｙ」モードでは含まれていないスーパーファインモード（「ＳＦＩｎ」）が選択された後で、この「Ｅａｓｙ」モードに切り替えられた場合には、「動作モードの切り替え」のメニュー表示の中に［ＳＦＩｎ］を加えて、この「Ｅａｓｙ」モードでも特別に現在設定されている動作モードを表示するのが好ましい。
【００７６】
この場合、特別に表示する「ＳＦＩｎ」の文字を「動作モードの切り替え」表示の先頭画面に設定して、「動作モードの切り替え」表示に入ると同時に、現在設定されているスーパーファインモードをユーザに認識させるのが最も好ましい。そして、ユーザが、「動作モードの切り替え」のメニュー表示の中から、この本来「Ｅａｓｙ」モードで選択可能な例えばスーパモード（「ＳｕＰｒ」）を選択した場合には、次回に「Ｅａｓｙ」モードに入ったときに、スーパーファインモード（「ＳＦＩｎ」）がメニューから消失させるのがよい。
【００７７】
現在設定されている動作モードの表示に関し、これが例えばスーパモード（「ｔｕｒｂ」）のように本来的に「Ｅａｓｙ」モードで選択可能な動作モードであるような場合であっても、「動作モードの切り替え」表示に入ると同時に、現在設定されている動作モードを先頭画面で表示するのが好ましい。これにより、ユーザは、先頭画面の表示を見ることで、現在設定されている動作モードを確認することができる。同様のことが選択メニューを備えた表示項目にも言える。すなわち、現在設定されている事項を先頭画面つまり初期画面に表示させることで、ユーザは、この初期画面を見ることで、現在設定されている内容を確認することができる。
【００７８】
図１０は、「Ｅａｓｙ」モードでの「動作モードの切り替え」表示に関するフローチャートである。基本表示画面である「受光量及び／又はしきい値関連表示」（図５）でＭキー２３の長押しがあったことを検出すると（図１０のステップＳ３１）、「Ｅａｓｙ」又は「Ｐｒｏ」の選択工程（図８）に入る。この選択工程で、ユーザが上下キー２１を操作して「Ｐｒｏ」を選択した後でＭキー２３を押すと、ステップＳ３２からステップＳ３３に移行して、第２表示画面である「動作機能設定」に関する表示は「Ｐｒｏ」モードで実行される（図１１）。
【００７９】
他方、図７の選択画面で、ユーザが上下キー２１を操作して「Ｅａｓｙ」を選択した後でＭキー２３を押すと、ステップＳ３２からステップＳ３４に進んで、現在設定されている動作モードの判定が行われる（図１０）。
【００８０】
先に説明したように、「Ｅａｓｙ」モードの中で設定可能な動作モードは、ファインモード（「ＦＩｎＥ」）、ターボモード（「ｔｕｒｂ」）、スーパモード（「ＳｕＰｒ」」の三種類である。
【００８１】
ステップＳ３４で、現在設定されている動作モードが、「Ｅａｓｙ」モードで設定可能な三種類の動作モードであると判定したときには、ステップＳ３５に進んで、第２表示画面である「動作機能設定」に関する表示を「Ｅａｓｙ」モードで実行すると共に、「動作モードの切り替え」の初期画面において、現在設定されている動作モードを表示する。
【００８２】
先のステップＳ３４で、現在設定されている動作モードが、「Ｅａｓｙ」モードで設定可能な三種類の動作モードではなく「Ｐｒｏ」モードだけで設定可能な動作モードであると判定したときには、ステップＳ３６に進んで、第２表示画面である「動作機能設定」に関する表示を「Ｅａｓｙ」モードで実行すると共に、「動作モードの切り替え」の初期画面に現在設定されている動作モードを意味する文字（例えば、「ＳＦＩｎ」）を表示する。
【００８３】
「タイマモード切り替え及びタイマ値設定」での表示について説明すると、図９の「ｔｏＦＦ」は、タイマモード「オフ」を意味する。したがって、この「ｔｏＦＦ」を選択すると上述したタイマモードに関する制御はキャンセルされ、光電スイッチ１００が検出物Ｔを検出すると直ちに検出信号を出力する。Ｍキー２３を押すと、次の表示に切り替わる。
【００８４】
左側の第１表示部１７の「ｏｎ−ｄ」は、光電スイッチ１００がオン信号を外部機器に送出するときの遅延時間に関することを表示するものであり、右側の数字「４０」は、設定されている遅延時間（秒）を表示している。
【００８５】
図９において、文字「ｏｎ−ｄ」が楕円で囲まれているが、この楕円は、「ｏｎ−ｄ」の文字が点滅表示されることを意味しており、上下キー２１をアップ又はダウン操作することにより他の表示に切り替わる又は数値を変更できることを視覚的に主張している。このことは、図９に限らず他の図面でも同様であり、これら図面において、第１又は第２の表示部１７、１８に楕円が付加されているものは、点滅表示されることを意味すると共に上下キー２１をアップ又はダウン操作することにより他の表示に切り替わる又は数値を変更できることを視覚的に主張している。なお、このような表示形式は、点滅表示に限られず、通常とは異なる色で表示するなど、ユーザが目で識別可能な方法で、この種の主張を行わせるようにしてもよい。
【００８６】
「ｏｎ−ｄ」が点滅表示されている状態で、上下キー２１をアップ操作すると、第１表示部１７は「ｏｆｆｄ」の文字に変わり、また、「Ｓｈｏｔ」の文字に変わり、再び「ｏｎ−ｄ」に変わる。
【００８７】
「ｏｆｆｄ」は、光電スイッチ１００がオフ信号を外部機器に送出するときの遅延時間に関することを表示するものであり、図示を省略したが、第２表示部１８には、遅延時間に相当する数字が表示される。「Ｓｈｏｔ」は、上述したワンショット制御に関することを表示するものであり、図示を省略したが、第２表示部１８には、遅延時間に相当する数字が表示される。
【００８８】
例えば、オフ信号の出力を遅延させるのであれば、図９から理解できるように、「ｏｎ−ｄ」が点滅表示されている状態でＭキー２３を押すことにより、第２表示部１８の数字が点滅表示に切り替わる。この状態で、上下キー２１を操作することにより、表示されている数字を増減することができ、所望の数字が表示されたら上下キー２１の操作を止めて、Ｍキー２３を押すことにより、表示されている数字に対応する秒数だけ、光電スイッチ１００のオフ信号の出力を遅延させることができる。オフ信号の遅延やワンショット信号の遅延についても、同様の操作で設定することができる。
【００８９】
上記のようにしてタイマモードの切り替え又は設定がＭキー２３を押すことで終了すると、「Ｅａｓｙ」モードによる「動作機能設定」に関する表示が終了して、基本表示画面（図５）に戻る。
【００９０】
図１１は、「Ｐｒｏ」モードでの動作機能設定に関する表示の一覧を示す。
「Ｐｒｏ」モードでは、動作モード切り替えから、Ｍキー２３を押すことにより、タイマモード切り替え、微分モード切り替え、基本画面である「受光量及び／又はしきい値関連表示」での表示モード切り替え、エコモード切り替えの各項目に切り替わり、更に、Ｍキー２３を押すことにより、この「動作機能設定」に関する表示が終了して、基本表示画面である「受光量及び／又はしきい値関連表示」（図５）に戻る。
【００９１】
この「Ｐｒｏ」モードで表示される動作モード切り替えやタイマモード切り替えなどの各表示項目におけるメニューの選択及び数値の増減を、上下キー２１を操作することにより行うのは「Ｅａｓｙ」モードと同じである。
【００９２】
しきい値設定時の表示（図１２〜図１５）
光電スイッチ１００にあっては、しきい値設定に関し、３つの方法の中から一つを任意に選択することができる。第１の設定方法は２点ティーチングであり、第２の設定方法はフルオート（全自動）ティーチングであり、第３の設定方法は位置決めティーチングである。
【００９３】
第１の方法である２点ティーチングは、被検出物Ｔが「無い」状態と、「有る」状態の２回において受光量を検出し、この二つの受光量の略中間に自動的にしきい値をセットするものである。
【００９４】
第２の方法であるフルオート（全自動）ティーチングは、例えば、連続して製造ラインを流れてくる被検出物Ｔに対して、所定時間受光量を検出し、その間の最大受光量と最小受光量との略中間に自動的にしきい値をセットするものである。
【００９５】
第３の方法である位置決めティーチング又は１点ティーチングは、被検出物Ｔを所定の位置にセットし、１点にて受光量を検出し、それに基づいて自動的にしきい値をセットするものである。
【００９６】
光電スイッチ１００は、通常モードでは、しきい値などの演算は４桁で行われるが、高解像度モード（ファイン動作モード）のときには、５桁の内部演算に切り替わる。この５桁でのしきい値設定に関し、図１２を参照して、その基本原理を説明する。
【００９７】
図１２の左側の「０〜９９９９」は、通常モードでの受光量やしきい値が内部演算によって４桁の処理が行われることを示している。その右隣りの「０〜９９９９９」のグラフは、高解像度モード、つまりスーパファインモードにおいて、受光量やしきい値が内部演算され、５桁の処理が行われていることを示している。この５桁の処理を行う場合、基本的に考慮すべきことは、その５桁での最大値と最小値の略中間値にしきい値が設定されるように、５桁にすることである。これによって、検出され且つ表示される受光量が表示可能な最大値や最小値に貼り付いてしまうような、飽和状態を極力無くすることができる。
【００９８】
ここでの５桁の処理のための内部演算の手法としては、通常モードにて検出した、最大４桁の受光量を、所定倍することによりその値を５桁とする方法や、通常モードで連続１０回以上の所定回数（例えば１２回）検出した受光量を加算することによりその値を５桁とする方法、所定の５桁の値を通常モードにて検出した４桁の値に加算する方法、または、特別な定数を有する公式を設定し、これに通常モードにて検出した４桁の値を代入することにより、５桁の値とする方法などが考えられる。また、上述した方法を組み合わせることで、５桁の値を得るようにしてもよい。
【００９９】
また、上述した図５の第３画面の現受光量“２０００”のように（この場合、４桁の最大値は「４０９５」とする）５桁で設定されたしきい値を４桁の値に変換して第２表示部１８に表示する場合は、設定されている５桁のしきい値を、４桁のレンジにおける同等な相対位置としての値に設定して表示する方法と、４桁において表示可能な最大値と最小値との略中間値として設定して表示する方法とがある。
【０１００】
また、上述した方法にて設定された、高解像度モードとしての４桁表示のしきい値に対して、４桁にて表示を行う受光量の表示については、本来、この表示モードが高解像度モードであるという観点から考えれば、上記５桁表示におけるしきい値と現在の受光量との差を、そのまま４桁表示にて設定されたしきい値に加算、減算することにより、５桁表示における高解像度を維持しつつ表示するのが好ましい。
【０１０１】
しかし、一方、４桁の表示での実質的な表示可能時間（スケール）を広げるという点に主眼を置き、しきい値が５桁から４桁に変更して表示された場合、特定の定数を５桁の現受光量に乗じることにより、４桁の現在の受光量を表示することも可能である。
【０１０２】
図１３は、高解像度のスーパファインモードでのしきい値設定中の表示を示す。図１３は２点ティーチングでの表示を示す。
【０１０３】
図１３の２点ティーチングによるしきい値設定前には、先ず、左側の第１表示部１７に、現在のしきい値（通常モードでの４桁数値）が表示され、右側の第２表示部１８に現在の受光量（通常モードでの４桁数値）が表示されている。
【０１０４】
セット（ＳＥＴ）キー２２を一回押す（短い時間）と、しきい値設定モードに入り、現在の受光量（５桁）の表示（図示の例では、「２１９３８」）に切り替わる。このとき、左側の第１表示部１７の左端に位置する７セグメントＬＥＤの上及び下に位置する水平セグメント４０を発光させ、これにより、今現在２点ティーチング中であることを表示するようにしてもよい。
【０１０５】
更に、ＳＥＴキー２２を比較的短い時間押すと、しきい値設定モードが終了して、第１表示部１７に、新たに設定された、スーパファインモードにおける４桁表示でのしきい値（ここでは、スーパファインモードにおける４桁表示でのしきい値の表示方法として、しきい値が常に４桁での最大値と最小値との略中間の「５０００」となるようになっている。）が表示される。また、同様に、現在の受光量は、５桁での表示と同様の解像度を保有する方式を採用し、「１９００」という値を示している。つまり、５桁でのしきい値と４桁でのしきい値「５０００」との差を、５桁での現在の受光量に加減算し、「１９００」という値を得ている。
【０１０６】
この表示では、スーパファインモードで新たに設定されたしきい値であることを明らかにするため、このしきい値の値の表示数値を点滅させるようにしてもよい。図面において、「５０００」の数字を楕円で囲んであるのは、点滅表示であることを示している。
【０１０７】
上述したその他のティーチング方法においても、通常モードとスーパファインモードとの間のしきい値並びに現在の受光量の演算処理は上述したものと同様であるので、その詳しい説明は省略する。
【０１０８】
図１４は、高解像度モードにおいて、８桁で内部演算する場合の内部処理の原理を説明するための図であり、先に説明した図１２に対応している。図１４の中央の「０〜９９９９９９９９」は、内部演算が８桁で行われることを表している。受光量を８桁で演算し、その中央値をしきい値として設定すればよい。８桁の受光量は、図１５の左側に図示したように、横並びの第１、第２表示部１７、１８を一体として動作させて表示すればよい。図１５の左側に図示した「１２３４５６７８」は、現在の受光量である。
【０１０９】
そして、先に図１２を参照した説明と同様に、８桁のしきい値を４桁の値に変換する方法としては、４桁のしきい値が「０〜９９９９」の中間の値となるように、新たにゼロ点を内部計算すればよい。そして、このゼロ点を、４桁表示の際の「０」として設定すれば、８桁の数値（０〜９９９９９）の特定部分だけを抽出したなかで、しきい値及び受光量を４桁で表示することができる。図１５の右側に図示した第１表示部１７の「５０００」が新たに設定された４桁のしきい値であり、第２表示部１８の「７３５０」は、この新たに設定したしきい値に関連して演算した４桁表示用の受光量を示す。
【０１１０】
スパーファインモードの８桁表示におけるしきい値が例えば、４桁表示の中間値「５０００」以下（０〜９９９９を４桁のフルレンジであるとした場合）である場合に、その値をスーパファインモードの４桁表示において、中間値である「５０００」とすると、最小値がマイナスとなってしまうため、そのような場合は、スーパファインモードの８桁表示からスーパファインモードの４桁表示に表示変換した場合でも、８桁表示の際の値を維持するようにする。
【０１１１】
また、スーパファインモードの８桁表示におけるしきい値が、例えば、８桁表示の最大値「９９９９９９９９」に対して、４桁表示の中間値「５０００」未満の差しかない（０〜９９９９の４桁のフルレンジであるとした場合）にも、スーパファインモードの８桁表示からスーパファインモードの４桁表示に表示変換した場合でも、８桁表示の際の値を維持するようにする。
【０１１２】
以上、光電スイッチ１００の表示に関連して詳しく説明したが、例えば、「Ｅａｓｙ」モードと「Ｐｒｏ」モードとの選択画面（図７の第１表示部１７）や動作モード切り替え画面（図９、図１１）、ディスプレー表示モード切り替え画面（図１１）など幾つかの選択肢から一つを選択してこれを設定するまでの表示に関し、前回選択した事項を先頭画面つまり初期画面として表示するようにするのが好ましい。例えば、前回「Ｐｒｏ」モードを選択した場合には、次に、動作モード設定モードに入ったら、図８の選択画面では、「Ｐｒｏ」の文字が最初に表示されるようにするのがよい。
【０１１３】
上記の光電スイッチ１００のディスプレーによれば、通常の使用では、「Ｅａｓｙ」モードに含まれる２つの項目、つまり、▲１▼動作モード切り替え及び▲２▼タイマモード切り替え及びタイマ値設定で十分であり、この２つの項目に関する設定で光電スイッチ１００の基本的な動作を十分に確保することができる。したがって、通常の使用態様であれば、「Ｅａｓｙ」モードを選択することで、不必要な項目の表示無しに設定操作を完了することができる。このことは、部分的な表示を行う「Ｓｔｄ」モードと全ての表示を行う「Ｆｕｌｌ」モードとを選択可能にした、基本表示画面である「受光量及び／又はしきい値関連表示」についても言える。
【０１１４】
つまり、「Ｅａｓｙ」モードを選択することで、表示項目を必要最小限に絞り込むことができ、これにより設定操作に伴うＭキー２３の入力回数を大幅に減らすことができる。換言すれば、通常の使用態様では初期設定で十分な項目までもが表示され、誤って設定を変えてしまう虞が無い。また、仮に「Ｅａｓｙ」モードの表示項目の中で、誤った設定を行ったとしても、この誤設定の項目に戻るのに必要なＭキー２３の入力回数を大幅に減じることができ、再設定のための煩雑さを解消することができる。
【０１１５】
高度な設定を行いたいユーザは、「Ｐｒｏ」モードを選択して自らにとって合理的なパラメータを設定すればよい。このようなユーザにとっては、光電スイッチ１００の全ての機能の設定が変更可能又は切り替え可能であることが重要であり、光電スイッチ１００の取り扱いにも精通していることが多い。したがって、誤った設定を行ってしまう虞は小さい。むしろ、「Ｐｒｏ」という文字表示を見せて、これを選択させることで、これ以降の操作に注意を促すことができるため、マンマシンインターフェースとしては好ましいものとなる。
【０１１６】
光電スイッチ１００が、前回「Ｐｒｏ」モードを選択した場合には、次に、動作モード設定モードに入ったら「Ｐｒｏ」の文字が最初に表示されるようにする機能を含む場合には、この「Ｐｒｏ」の文字を呼び出すために上下キー２１を操作する必要がないため、Ｍキー２３を押すだけで「Ｐｒｏ」モードに入ることができるため、例えば、「Ｐｒｏ」モードで表示される項目に誤設定をしてしまい、再度「Ｐｒｏ」モードに入らなければならない場合に、「Ｅａｓｙ」モードとの選択工程を設けたことによりキー又はスイッチ操作が煩雑になってしまう、という問題の発生を回避することができる。
【０１１７】
また、高解像度モードでは、第１、第２表示部１７、１８を一体化させて最高８桁までの表示を行うことができるため、微小な検出物Ｔの有無を検出するために投光部１０２と受光部１０３を接近させたとしても、この増加した桁数で受光量が飽和しているか否かを確認できるため、実質的に表示の飽和を心配することなく光電センサ１００を使用することができる。すなわち、通常モードでは表示限界を超える数値であっても、横並びの第１、第２表示部１７、１８を一体化して一つのモニタ又はディスプレーとして使用することで、この表示限界に起因する検出能力の低下の問題を解消することができ、微小物体の検出精度を向上することができる。
【０１１８】
以上、本発明の好ましい実施例を詳しく説明したが、本発明は、例えば、一つの表示部の表示桁数が４桁以外にあっても適用可能であることは言うまでもない。例えば、横並びの２つの表示部が例えば一方が３桁で、他方が２桁の表示能力を有しているのであれば、これを一体的に動作させることで、最大５桁の表示を行うことができる。また、各表示部が７セグメントＬＥＤに限定されるものではなく、液晶などであってもよい。
【０１１９】
また、文字や記号などにあっても同様であり、必要で有れば、２つの表示部を一体化して一つの表示部として動作させて、数値だけでなく、文字や記号などを表示させるようにしてもよい。
【０１２０】
また、表示部の数は、２つに限定されるものではなく、横並びであれば、３以上の表示部を備えた光電スイッチに対しても本発明を適用することができる。また、光電スイッチの形式として、上記に説明した透過型に限定されるものではなく、反射型であってもよい。
【０１２１】
なお、本発明は、上述した実施例だけでなく、基本的に光電スイッチにおいて、横方向に連続する二以上の表示部が存在するものにおいて、受光量やしきい値の少なくとも一方の解像度（分解能）の設定の考え方、並びに桁数の設定の考え方に、上述したような自由度が存在する。
【図面の簡単な説明】
【図１】本発明が適用可能な光電スイッチを例示するものであり、デュアルモニタ式の透過型光電スイッチの斜視図である。
【図２】図１の光電スイッチの平面図である。
【図３】図１の光電スイッチのブロック図である。
【図４】図１の光電スイッチの表示の概要を説明するための図である。
【図５】図１の光電スイッチの基本表示画面での表示形態及び表示項目のフローを示す図である。
【図６】図１の光電スイッチの基本表示画面における全表示モード（「Ｆｕｌｌ」モード）に関するフローチャートである。
【図７】第２表示画面での表示に関する表示モード選択を行う工程での表示画面を示す図である。
【図８】基本表示画面からから第２表示画面の表示モードの選択工程に移行し、この選択工程で選択されたモードで第２表示画面が表示されるまでのフローチャートである。
【図９】「Ｅａｓｙ」モードでの第２表示画面の表示形態及び表示項目のフローを示す図である。
【図１０】「Ｅａｓｙ」モードでの動作モード切り替え項目での流れを説明するためのフローチャートである。
【図１１】「Ｐｒｏ」モードでの第２表示画面の表示形態及び表示項目のフローを示す図である。
【図１２】受光量の演算処理を５桁で行う高解像度モードの内部処理での原理を説明するための図である。
【図１３】高解像度モードで、２点ティーチングによりしきい値設定を行う際の表示形態及びその流れを説明するための図である。
【図１４】受光量の演算処理を８桁で行う高解像度モードの内部処理での原理を説明するための図である。
【図１５】図１４に関連して、８桁で内部処理する場合の表示形態を例示するための図である。
【符号の説明】
１００    光電スイッチ
１７      左側の第１表示部
１８      右側の第２表示部
２１      上下キースイッチ
２２      しきい値設定キースイッチ（ＳＥＴキー）
２３      モード切り替えキースイッチ（Ｍキー）
１０１      発光部
１０２      受光部
Ｔ      検出物
【図１】
0004711578.tif 000002
【図２】
0004711578.tif 000003
【図３】
0004711578.tif 000004
【図４】
0004711578.tif 000005
【図５】
0004711578.tif 000006
【図６】
0004711578.tif 000007
【図７】
0004711578.tif 000008
【図８】
0004711578.tif 000009
【図９】
0004711578.tif 000010
【図１０】
0004711578.tif 000011
【図１１】
0004711578.tif 000012
【図１２】
0004711578.tif 000013
【図１３】
0004711578.tif 000014
【図１４】
0004711578.tif 000015
【図１５】
0004711578.tif 000016